(57)【要約】  エンティティに関連する負荷およびエネルギー源を制御するための実施形態が、本開示で説明される。システムは、（たとえば、現在の時間より前の）第１の期間について、エンティティに関連する第１のエネルギーレベルを、第１のエネルギーレベルについての変動性とともに決定し得る。システムは、（たとえば、現在の時間の後の）第２の期間について、エンティティに関連するコンテキストデータを、コンテキストデータについての変動性とともにさらに決定し得る。第１および第２のエネルギーレベルは、システムと通信している１つまたは複数の制御デバイスから受信され得る。システムは、第２の期間について、エンティティに関連する第２のエネルギーレベルを決定し得る。第２のエネルギーレベルは、第１のエネルギーレベルとコンテキストデータとに少なくとも部分的に基づき得る。システムは、第２のエネルギーレベルに少なくとも部分的に基づいて、負荷およびエネルギー源を制御し得る。【選択図】      図１
2018528747.tif 000002
【特許請求の範囲】
【請求項１】
エンティティに関連する負荷およびエネルギー源を制御するための方法であって、前記方法が、
前記負荷についての第１のエネルギー消費レベルを監視するための第１の制御デバイスへの第１の接続を確立することと、
前記エネルギー源についての第１のエネルギー生成レベルを監視するための第２の制御デバイスへの第２の接続を確立することと、
前記負荷についての前記第１のエネルギー消費レベルを前記第１の制御デバイスから受信することと、
前記エネルギー源についての前記第１のエネルギー生成レベルを前記第２の制御デバイスから受信することと、
第１の期間について、前記負荷についての前記第１のエネルギー消費レベルと前記エネルギー源についての前記第１のエネルギー生成レベルとに少なくとも部分的に基づいて、前記エンティティに関連する第１のエネルギーレベルを決定することと、
第２の期間について、前記エンティティに関連するコンテキストデータを決定することと、
前記第２の期間について、前記第１のエネルギーレベルと前記コンテキストデータとに少なくとも部分的に基づいて、前記エンティティに関連する第２のエネルギーレベルを決定することと、
前記第２のエネルギーレベルに少なくとも部分的に基づいて前記負荷を制御することと、
前記第２のエネルギーレベルに少なくとも部分的に基づいて前記エネルギー源を制御することと
のうちの少なくとも１つと
を備える方法。
【請求項２】
前記負荷を制御することが、第１の所定の期間について、前記負荷をアクティブまたは非アクティブにすることを備え、前記エネルギー源を制御することが、第２の所定の期間について、前記エネルギー源をアクティブまたは非アクティブにすることを備える、請求項１に記載の方法。
【請求項３】
前記第１の期間が現在の時間より前に生じ、前記第２の期間が前記現在の時間の後に生じる、請求項１に記載の方法。
【請求項４】
前記第１のエネルギーレベルを決定することが、前記第１のエネルギーレベルの変動性を決定することを備える、請求項１に記載の方法。
【請求項５】
前記コンテキストデータを決定することが、前記コンテキストデータの変動性を決定することを備える、請求項１に記載の方法。
【請求項６】
前記第２のエネルギーレベルが、前記負荷についての第２のエネルギー消費レベルと、前記エネルギー源についての第２のエネルギー生成レベルとを備え、ここにおいて、前記負荷が、前記第２のエネルギー消費レベルに少なくとも部分的に基づいて制御され、ここにおいて、前記エネルギー源が、前記第２のエネルギー生成レベルに少なくとも部分的に基づいて制御される、請求項１に記載の方法。
【請求項７】
前記負荷、前記エネルギー源、およびエネルギー蓄積器と通信することをさらに備える、請求項１に記載の方法。
【請求項８】
前記コンテキストデータの前記決定が、前記第１の期間中に前記エンティティに関連するエンティティデータを監視することに少なくとも部分的に基づく、請求項１に記載の方法。
【請求項９】
前記エンティティデータが、前記エンティティに関連するエリアの天気予報と、前記エンティティ中の占有者の数と、前記エンティティ中の前記占有者のエネルギー関係アクティビティと、前記エンティティに関連する負荷のタイプ、コスト、および使用率と、前記エンティティに関連するエネルギー源のタイプ、コスト、および使用率と、前記エンティティに関連するエネルギー蓄積器のタイプ、コスト、および使用率とからなるグループからの少なくとも１つのメンバーを備える、請求項８に記載の方法。
【請求項１０】
前記負荷についての第２のエネルギー消費レベルを予測することと、
前記エネルギー源についての第２のエネルギー生成レベルを予測することと
をさらに備える、請求項１に記載の方法。
【請求項１１】
前記負荷についての前記第２のエネルギー消費レベルと前記エネルギー源についての前記第２のエネルギー生成レベルとに少なくとも部分的に基づいて、前記負荷を動作させ、エネルギー蓄積器を充電または放電するための第１のスケジュールおよび第２のスケジュールを生成すること
をさらに備える、請求項１０に記載の方法。
【請求項１２】
前記第１のスケジュールについての第１のエネルギーコストと前記第２のスケジュールについての第２のエネルギーコストとを決定することと、
前記第１のエネルギーコストが前記第２のエネルギーコストよりも低いと決定することと、
前記第１のスケジュールを選択することと
をさらに備える、請求項１１に記載の方法。
【請求項１３】
エンティティに関連する負荷およびエネルギー源を制御するための装置であって、前記装置が、
前記負荷についての第１のエネルギー消費レベルを監視するための第１の制御デバイスから、前記負荷についての第１のエネルギー消費レベルを受信することと、
前記エネルギー源についての第１のエネルギー生成レベルを監視するための第２の制御デバイスから、前記エネルギー源についての第１のエネルギー生成レベルを受信することと
を行うように構成された通信ユニットと、
メモリと、
前記メモリに結合されたプロセッサと
を備え、前記プロセッサが、
第１の期間について、前記負荷についての前記第１のエネルギー消費レベルと前記エネルギー源についての前記第１のエネルギー生成レベルとに少なくとも部分的に基づいて、前記エンティティに関連する第１のエネルギーレベルを決定することと、
第２の期間について、前記エンティティに関連するコンテキストデータを決定することと、
前記第２の期間について、前記第１のエネルギーレベルと前記コンテキストデータとに少なくとも部分的に基づいて、前記エンティティに関連する第２のエネルギーレベルを決定することと、
前記第２のエネルギーレベルに少なくとも部分的に基づいて前記負荷を制御することと、
前記第２のエネルギーレベルに少なくとも部分的に基づいて前記エネルギー源を制御することと
のうちの少なくとも１つと
を行うように構成された、
装置。
【請求項１４】
前記第１の期間が現在の時間より前に生じ、前記第２の期間が前記現在の時間の後に生じる、請求項１３に記載の装置。
【請求項１５】
前記第１のエネルギーレベルを決定することが、前記第１のエネルギーレベルの変動性を決定することを備える、請求項１３に記載の装置。
【請求項１６】
前記コンテキストデータを決定することが、前記コンテキストデータの変動性を決定することを備える、請求項１３に記載の装置。
【請求項１７】
前記第２のエネルギーレベルが、前記負荷についての第２のエネルギー消費レベルと、前記エネルギー源についての第２のエネルギー生成レベルとを備え、ここにおいて、前記負荷が、前記第２のエネルギー消費レベルに少なくとも部分的に基づいて制御され、ここにおいて、前記エネルギー源が、前記第２のエネルギー生成レベルに少なくとも部分的に基づいて制御される、請求項１３に記載の装置。
【請求項１８】
前記プロセッサが、前記負荷、前記エネルギー源、およびエネルギー蓄積器と通信するようにさらに構成された、請求項１３に記載の装置。
【請求項１９】
前記コンテキストデータの前記決定が、前記第１の期間中に前記エンティティに関連するエンティティデータを監視することに少なくとも部分的に基づく、請求項１３に記載の装置。
【請求項２０】
前記エンティティデータが、前記エンティティに関連するエリアの天気予報と、前記エンティティ中の占有者の数と、前記エンティティ中の前記占有者のエネルギー関係アクティビティと、前記エンティティに関連する負荷のタイプ、コスト、および使用率と、前記エンティティに関連するエネルギー源のタイプ、コスト、および使用率と、前記エンティティに関連するエネルギー蓄積器のタイプ、コスト、および使用率とからなるグループからの少なくとも１つのメンバーを備える、請求項１９に記載の装置。
【請求項２１】
前記プロセッサが、
前記負荷についての第２のエネルギー消費レベルを予測することと、
前記エネルギー源についての第２のエネルギー生成レベルを予測することと
を行うようにさらに構成された、請求項１３に記載の装置。
【請求項２２】
前記プロセッサが、前記負荷についての前記第２のエネルギー消費レベルと前記エネルギー源についての前記第２のエネルギー生成レベルとに少なくとも部分的に基づいて、前記負荷を動作させ、エネルギー蓄積器を充電または放電するための第１のスケジュールおよび第２のスケジュールを生成するようにさらに構成された、請求項２１に記載の装置。
【請求項２３】
前記プロセッサが、
前記第１のスケジュールについての第１のエネルギーコストと前記第２のスケジュールについての第２のエネルギーコストとを決定することと、
前記第１のエネルギーコストが前記第２のエネルギーコストよりも低いと決定することと、
前記第１のスケジュールを選択することと
を行うようにさらに構成された、請求項２２に記載の装置。
【請求項２４】
エンティティに関連する負荷およびエネルギー源を制御するための装置であって、前記装置が、
前記負荷についての第１のエネルギー消費レベルを監視するための第１の制御デバイスへの第１の接続を確立するための手段と、
前記エネルギー源についての第１のエネルギー生成レベルを監視するための第２の制御デバイスへの第２の接続を確立するための手段と、
前記負荷についての前記第１のエネルギー消費レベルを前記第１の制御デバイスから受信するための手段と、
前記エネルギー源についての前記第１のエネルギー生成レベルを前記第２の制御デバイスから受信するための手段と、
第１の期間について、前記負荷についての前記第１のエネルギー消費レベルと前記エネルギー源についての前記第１のエネルギー生成レベルとに少なくとも部分的に基づいて、前記エンティティに関連する第１のエネルギーレベルを決定するための手段と、
第２の期間について、前記エンティティに関連するコンテキストデータを決定するための手段と、
前記第２の期間について、前記第１のエネルギーレベルと前記コンテキストデータとに少なくとも部分的に基づいて、前記エンティティに関連する第２のエネルギーレベルを決定するための手段と、
前記第２のエネルギーレベルに少なくとも部分的に基づいて前記負荷を制御するための手段と、
前記第２のエネルギーレベルに少なくとも部分的に基づいて前記エネルギー源を制御するための手段と
のうちの少なくとも１つと
を備える装置。
【請求項２５】
前記負荷についての第２のエネルギー消費レベルを予測するための手段と、
前記エネルギー源についての第２のエネルギー生成レベルを予測するための手段と、
前記負荷についての前記第２のエネルギー消費レベルと前記エネルギー源についての前記第２のエネルギー生成レベルとに少なくとも部分的に基づいて、前記負荷を動作させ、エネルギー蓄積器を充電または放電するための第１のスケジュールおよび第２のスケジュールを生成するための手段と、
前記第１のスケジュールについての第１のエネルギーコストと前記第２のスケジュールについての第２のエネルギーコストとを決定するための手段と、
前記第１のエネルギーコストが前記第２のエネルギーコストよりも低いと決定するための手段と、
前記第１のスケジュールを選択するための手段と
をさらに備える、請求項２４に記載の装置。
【請求項２６】
エンティティに関連する負荷およびエネルギー源を制御するための非一時的コンピュータ可読媒体であって、前記非一時的コンピュータ可読媒体がコードを備え、前記コードが、コンピューティングデバイスの１つまたは複数のプロセッサによって実行されたとき、前記コンピューティングデバイスに、
前記負荷についての第１のエネルギー消費レベルを第１の制御デバイスから受信することと、
前記エネルギー源についての第１のエネルギー生成レベルを第２の制御デバイスから受信することと、
第１の期間について、前記負荷についての前記第１のエネルギー消費レベルと前記エネルギー源についての前記第１のエネルギー生成レベルとに少なくとも部分的に基づいて、前記エンティティに関連する第１のエネルギーレベルを決定することと、
第２の期間について、前記エンティティに関連するコンテキストデータを決定することと、
前記第２の期間について、前記第１のエネルギーレベルと前記コンテキストデータとに少なくとも部分的に基づいて、前記エンティティに関連する第２のエネルギーレベルを決定することと、
前記第２のエネルギーレベルに少なくとも部分的に基づいて前記負荷を制御することと、
前記第２のエネルギーレベルに少なくとも部分的に基づいて前記エネルギー源を制御することと
のうちの少なくとも１つと
を行わせる、非一時的コンピュータ可読媒体。
【請求項２７】
前記第１のエネルギーレベルを決定することが、前記第１のエネルギーレベルの変動性を決定することを備え、前記コンテキストデータを決定することが、前記コンテキストデータの変動性を決定することを備える、請求項２６に記載の非一時的コンピュータ可読媒体。
【請求項２８】
前記コードが、前記コンピューティングデバイスの前記１つまたは複数のプロセッサによって実行されたとき、前記コンピューティングデバイスに、前記負荷、前記エネルギー源、およびエネルギー蓄積器と通信することをさらに行わせる、請求項２６に記載の非一時的コンピュータ可読媒体。
【請求項２９】
前記コンテキストデータが、前記エンティティに関連するエリアの天気予報と、前記エンティティ中の占有者の数と、前記エンティティ中の前記占有者のエネルギー関係アクティビティと、前記エンティティに関連する負荷のタイプ、コスト、および使用率と、前記エンティティに関連するエネルギー源のタイプ、コスト、および使用率と、前記エンティティに関連するエネルギー蓄積器のタイプ、コスト、および使用率とからなるグループからの少なくとも１つのメンバーを備える、請求項２６に記載の非一時的コンピュータ可読媒体。
【請求項３０】
前記コードが、前記コンピューティングデバイスの前記１つまたは複数のプロセッサによって実行されたとき、前記コンピューティングデバイスに、
前記負荷についての第２のエネルギー消費レベルを予測することと、
前記エネルギー源についての第２のエネルギー生成レベルを予測することと、
前記負荷についての前記第２のエネルギー消費レベルと前記エネルギー源についての前記第２のエネルギー生成レベルとに少なくとも部分的に基づいて、前記負荷を動作させ、エネルギー蓄積器を充電または放電するための第１のスケジュールおよび第２のスケジュールを生成することと、
前記第１のスケジュールについての第１のエネルギーコストと前記第２のスケジュールについての第２のエネルギーコストとを決定することと、
前記第１のエネルギーコストが前記第２のエネルギーコストよりも低いと決定することと、
前記第１のスケジュールを選択することと
をさらに行わせる、請求項２６に記載の非一時的コンピュータ可読媒体。
【発明の詳細な説明】
【技術分野】
【０００１】
関連出願の相互参照
本出願は、その各々の全体が参照により本明細書に組み込まれる、その出願が２０１５年８月７日に出願された米国仮出願第６２／２０２，６７８号の優先権を主張する、２０１６年３月７日に出願された米国出願第１５／０６２，４５１号の優先権を主張する。
【０００２】
本出願は、一般に、エンティティ（entity）のためのエネルギー管理に関する。
【背景技術】
【０００３】
エンティティ（たとえば、家屋、オフィス、車など）は、様々なエネルギー消費アクティビティに関連する。さらに、エンティティはエネルギー源にも関連し得る。これらのエネルギー消費アクティビティのうちのいくつかは、他のものよりも多くのエネルギーを消費し、これらのアクティビティのうちのいくつかは、エネルギー源からエネルギーを得るために互いと競合し得る。これは、いくつかのアクティビティが、それらがエネルギー源から必要とするエネルギーの量にアクセスすることが可能でないことがある状況、または、エネルギー源が枯渇し、代替エネルギー源が高価である状況につながり得る。したがって、そのような状況の頻度を低減するために、エネルギー源およびエネルギー消費アクティビティを管理する必要がある。
【発明の概要】
【０００４】
エンティティ（たとえば、家屋、オフィス、車など）に関連する負荷およびエネルギー源を制御する様々な実施形態が、本開示で説明される。システムとも呼ばれる、エネルギー管理システムは、負荷についての第１のエネルギー消費レベルを第１の制御デバイスから受信し、エネルギー源についての第１のエネルギー生成レベルを第２の制御デバイスから受信し得る。システムは、（たとえば、現在の時間より前の）第１の期間について、エンティティに関連する第１のエネルギーレベルを、第１のエネルギーレベルについての変動性とともに決定し得る。第１のエネルギーレベルは、負荷についての第１のエネルギー消費レベルとエネルギー源についての第１のエネルギー生成レベルとに少なくとも部分的に基づき得る。システムは、（たとえば、現在の時間の後の）第２の期間について、エンティティに関連するコンテキストデータを、コンテキストデータについての変動性とともにさらに決定し得る。システムは、第２の期間について、エンティティに関連する第２のエネルギーレベルをさらに決定し得る。第２のエネルギーレベルは、第１のエネルギーレベルとコンテキストデータとに少なくとも部分的に基づき得る。第２のエネルギーレベルは、負荷についての第２のエネルギー消費レベルとエネルギー源についての第２のエネルギー生成レベルとを備え得る。システムは、第２のエネルギーレベルまたは第２のエネルギー消費レベルに少なくとも部分的に基づいて、負荷を制御し得る。追加または代替として、システムは、第２のエネルギーレベルまたは第２のエネルギー生成レベルに少なくとも部分的に基づいて、エネルギー源を制御し得る。負荷を制御することは、第１の所定の期間について、負荷をアクティブまたは非アクティブにすることを備え得、エネルギー源を制御することは、第２の所定の期間について、エネルギー源をアクティブまたは非アクティブにすることを備え得る。
【０００５】
いくつかの実施形態では、システムは、第３の制御デバイスから、エンティティに関連するエネルギー蓄積器についての第１のエネルギー蓄積レベルを受信し得る。エンティティに関連する第１のエネルギーレベルは、エネルギー蓄積器についての第１のエネルギー蓄積レベルに少なくとも部分的に基づき得る。さらに、システムは、エンティティに関連する第２のエネルギーレベルに少なくとも部分的に基づいて、エネルギー蓄積器を制御し得る。エネルギー蓄積器を制御することは、所定の期間について、エネルギー蓄積器をアクティブにする（たとえば、充電する）こと、または非アクティブにする（たとえば、放電する）ことを備え得る。いくつかの実施形態では、システムは、負荷についてのエネルギー消費レベルを予測すること、および／またはエネルギー源についてのエネルギー生成レベルを予測することに基づいて、エネルギー蓄積器を制御するか、または負荷の動作をスケジュールし得る。いくつかの実施形態では、システムは、各スケジュールに関連するコストを決定することに基づいて、負荷を動作させ、および／またはエネルギー蓄積器を制御するための様々なスケジュールの中から選択し得る。
【０００６】
いくつかの実施形態では、システムは、第１の期間中にエンティティに関連するエンティティデータを監視することに少なくとも部分的に基づいて、コンテキストデータを決定し得る。いくつかの実施形態では、エンティティデータは、エンティティに関連するエリアの天気予報、エンティティ中の占有者の数、エンティティ中の占有者のエネルギー関係アクティビティ、エンティティに関連する負荷のタイプ、コスト、および使用率、エンティティに関連するエネルギー源のタイプ、コスト、および使用率、エンティティに関連するエネルギー蓄積器のタイプ、コスト、および使用率などを備え得る。
【０００７】
次に、添付の図面とともに与えられる、以下の発明を実施するための形態を参照する。様々な特徴が一定の縮尺で描かれないことがあり、様々な特徴の寸法が、説明の明快のために任意に増加または低減され得ることが強調される。さらに、いくつかの構成要素は、説明の明快のためにいくつかの図において省略され得る。
【図面の簡単な説明】
【０００８】
【図１】本開示のいくつかの実施形態による、エンティティのためのエネルギー管理を実施するための環境を提示する図。
【図２】本開示のいくつかの実施形態による、エンティティに関連する負荷およびエネルギー源を制御するための方法を提示する図。
【図３】本開示のいくつかの実施形態による、エンティティのためのエネルギー管理に関連するチャートを提示する図。
【図４】本開示のいくつかの実施形態による、エンティティに関連する負荷およびエネルギー蓄積器を動作させるためのスケジュールの中から選択するための方法を提示する図。
【０００９】
便宜上、同様の要素を指すために同様の参照番号が使用され得るが、様々な例示的な実装形態の各々が別個の変形形態と見なされ得ることが諒解され得る。
【発明を実施するための形態】
【００１０】
本開示の実施形態は、エンティティ（たとえば、家屋、オフィス、車など）のためのエネルギー消費およびエネルギー生成を予測することを対象とする。そのような予測は、エンティティのためのいくつかのエネルギー関係アクティビティをスケジュールするために使用され得る。たとえば、エネルギー蓄積器（たとえば、バッテリー）が、エンティティに関連するエネルギー源（たとえば、ソーラーパネル）のエネルギー生成レベルがエンティティについてのエネルギー消費レベルよりも高い期間中に充電され得る。さらなる例として、エネルギー蓄積器は、ある期間中に、グリッドから導出されたエネルギーのコストが他の期間中にグリッドから導出されたエネルギーのコストよりも低いときにグリッドから導出されたエネルギーを使用して充電され得る。さらなる例として、エネルギー蓄積器は、ある期間中に、グリッドから導出されたエネルギーのコストが他の期間中にグリッドから導出されたエネルギーのコストに等しいかまたはそれよりも大きいときにエンティティの負荷にエネルギーを供給し、それを動作させるために放電され得る。
【００１１】
図１は、エンティティ１１０のためのエネルギー管理を実施するための環境を提示する。エンティティ１１０は家屋であり得る。エンティティ１１０は、スマートエネルギーコントローラ１５２と通信している、「システム」とも呼ばれる、エネルギー管理システム１５０を備え得る。スマートエネルギーコントローラ１５２はシステム１５０とは別個であるものとして示されているが、代替実施形態では、スマートエネルギーコントローラ１５２はシステム１５０中に含まれ得る。スマートエネルギーコントローラ１５２は、スマートサーモスタット１５４に関連する制御デバイス１５３、プールポンプ（pool pump）などの負荷１５６に関連する制御デバイス１５５、ソーラーパネルなどのエネルギー源１５８に関連する制御デバイス１５７、マイクロ熱電併給（マイクロＣＨＰ：combined heat and power）システム１６０に関連する制御デバイス１５９、バッテリーなどのエネルギー蓄積器１６２に関連する制御デバイス１６１、負荷センター１６６、および交流（ＡＣ）接続を使用してグリッド１６８に接続されたスマートメーター１６７と通信していることがある。スマートサーモスタット１５４は、暖房、換気、および空調（ＨＶＡＣ：heating, ventilating, and air conditioning）システム１６４と通信していることがある。互いと通信しているものとして説明されるデバイスは、ワイヤード接続またはワイヤレス接続を使用して互いと通信し得る。例示的なワイヤード接続は、イーサネット（登録商標）接続または電力線通信（ＰＬＣ）接続であり得る。例示的なワイヤレス接続は、ニアフィールド通信（ＮＦＣ：near field communication）接続、Ｂｌｕｅｔｏｏｔｈ（登録商標）接続、Ｗｉ−Ｆｉ（登録商標）接続、Ｗｉ−Ｆｉピアツーピア（Ｐ２Ｐ：peer-to-peer）接続、ワールドワイドインターオペラビリティフォーマイクロウェーブアクセス（ＷｉＭＡＸ（登録商標）：Worldwide Interoperability for Microwave Access）接続、ＺｉｇＢｅｅ（登録商標）接続などであり得る。いくつかの実施形態では、図１中のデバイスは、それらのデバイスが通信回線を使用して接続されているものとして提示されない場合でも、図１中の他のデバイスと通信し得る。
【００１２】
エネルギー源１５８、マイクロＣＨＰシステム１６０、およびエネルギー蓄積器１６２は、直流（ＤＣ）接続を使用してインバータ１６５に接続され得る。ＨＶＡＣシステム１６４、負荷１５６、およびインバータ１６５は、ＡＣ接続を使用して負荷センター１６６に接続され得る。負荷センター１６６は、ＡＣ接続を使用してスマートメーター１６７に接続され得る。スマートメーター１６７は、ＡＣ接続を使用してグリッド１６８に接続され得る。ＡＣ接続またはＤＣ接続を使用して接続された２つのデバイス間で、エネルギーが伝達され得る。２つのデバイス間のＤＣ接続上でのエネルギー伝達は、単方向であり得る。２つのデバイス間のＡＣ接続上でのエネルギー伝達は、双方向であり得る。いくつかの実施形態では、図１中のデバイスは、それらのデバイスがＤＣ接続またはＡＣ接続を使用して接続されているものとして提示されない場合でも、図１中の他のデバイスにエネルギーを伝達し得る。いくつかの実施形態では、エンティティ１１０は、図１中に提示されるもの以外のデバイスを含み得る。
【００１３】
システム１５０は、プロセッサ１９１、通信ユニット１９２、メモリ１９３、およびＩ／Ｏモジュール１９４など、構成要素を含み得る。図１中に提示されるもの以外の追加または代替の構成要素が、システム１５０中に含まれ得る。プロセッサ１９１は、他の構成要素および／またはシステム１５０中の様々な構成要素によって実施される機能のいずれかを制御し得る。プロセッサによって実施または実行されるものとして説明される行為は、プロセッサ１９１のみによって、または、１つまたは複数の追加の構成要素とともにプロセッサ１９１によって実施または実行され得る。さらに、ただ１つのプロセッサが示されているが、複数のプロセッサが存在し得る。したがって、命令はプロセッサ１９１によって実行されるものとして説明され得るが、命令は、同時に、連続的に、または場合によっては、１つまたは複数のプロセッサによって実行され得る。プロセッサ１９１は、１つまたは複数の処理回路として実装され得、コンピュータ命令を実行することが可能なハードウェアデバイスであり得る。プロセッサ１９１は、命令、コード、コンピュータプログラム、またはスクリプトを実行し得る。命令、コード、コンピュータプログラム、またはスクリプトは、通信ユニット１９２、メモリ１９３、またはＩ／Ｏモジュール１９４から受信され得る。
【００１４】
通信ユニット１９２は、１つまたは複数の無線トランシーバ、チップ、アナログフロントエンド（ＡＦＥ：analog front end）ユニット、アンテナ、処理ユニット、メモリ、他の論理、ならびに／あるいはスマートエネルギーコントローラ１５２または図１中に提示される他のデバイス（たとえば、制御デバイス）と通信するための通信プロトコル（ワイヤードまたはワイヤレス）および関係する機能を実装するための他の構成要素を含み得る。さらなる例として、通信ユニット１９２は、モデム、モデムバンク、イーサネットデバイス、ユニバーサルシリアルバス（ＵＳＢ）インターフェースデバイス、シリアルインターフェース、トークンリングデバイス、ファイバー分散型データインターフェース（ＦＤＤＩ：fiber distributed data interface）デバイス、ワイヤレスローカルエリアネットワーク（ＷＬＡＮ）デバイス、Ｗｉ−Ｆｉデバイス、符号分割多元接続（ＣＤＭＡ）デバイスなどの無線トランシーバデバイス、モバイル通信用グローバルシステム（ＧＳＭ（登録商標）：global system for mobile communications）無線トランシーバデバイス、ユニバーサルモバイルテレコミュニケーションズシステム（ＵＭＴＳ：universal mobile telecommunications system）無線トランシーバデバイス、ロングタームエボリューション（ＬＴＥ（登録商標））無線トランシーバデバイス、ＷｉＭＡＸデバイス、および／または通信のための他のデバイスを含み得る。通信ユニット１９２中に含まれる様々なデバイスの各々は、デバイス固有の構成要素または他のデバイスと共有される構成要素（たとえば、アンテナ）を含み得る。一例として、Ｗｉ−Ｆｉデバイスは、アンテナをＷｉＭＡＸデバイスと共有し得る。
【００１５】
メモリ１９３は、ランダムアクセスメモリ（ＲＡＭ）、読取り専用メモリ（ＲＯＭ）、または２次記憶装置の様々な形態を含み得る。ＲＡＭは、揮発性データを記憶するために、および／またはプロセッサ１９１によって実行され得る命令を記憶するために使用され得る。たとえば、記憶されるデータは、図１中に提示されるデバイスのいずれかを制御するためのコマンド、システム１５０の現在の動作状態、システム１５０の意図された動作状態などであり得る。ＲＯＭは、２次記憶装置のメモリ容量よりも小さいメモリ容量を有し得る不揮発性メモリデバイスであり得る。ＲＯＭは、命令および／またはコンピュータ命令の実行中に読み取られ得るデータを記憶するために使用され得る。ＲＡＭとＲＯＭの両方へのアクセスは、２次記憶装置へのアクセスよりも速いことがある。２次記憶装置は、１つまたは複数のディスクドライブまたはテープドライブから構成され得、データの不揮発性記憶装置のために使用されるか、または、ＲＡＭがデータを保持するのに十分に大きくない場合、オーバーフローデータ記憶デバイスとして使用され得る。２次記憶装置は、ＲＡＭにロードされ得るプログラムが実行のために選択されたとき、そのようなプログラムを記憶するために使用され得る。
【００１６】
Ｉ／Ｏモジュール１９４は、液晶ディスプレイ（ＬＣＤ）、タッチスクリーンディスプレイ、キーボード、キーパッド、スイッチ、ダイヤル、マウス、トラックボール、ボイス認識器、カードリーダー、紙テープリーダー、プリンタ、ビデオモニタ、または他の入出力デバイスを含み得る。いくつかの実施形態では、システム１５０は、コンピューティングデバイス、デスクトップコンピュータ、ラップトップコンピュータ、ヘッドレスデバイス（たとえば、ユーザインターフェースがない）、モバイルコンピューティングデバイス（たとえば、モバイルフォン）、ウェアラブルコンピューティングデバイス、または別の好適なコンピューティングデバイス中に備えられ得る。
【００１７】
スマートエネルギーコントローラ１５２は、スマートサーモスタット１５４、負荷１５６、エネルギー源１５８、マイクロＣＨＰシステム１６０、エネルギー蓄積器１６２、負荷センター１６６、およびスマートメーター１６７と通信し、それらを制御するためのハードウェアおよび／またはソフトウェアを備え得る。スマートサーモスタット１５４は、ＨＶＡＣシステム１６４と通信し、それの動作モードを制御するためのハードウェアおよび／またはソフトウェアを備え得る。一例として、スマートエネルギーコントローラ１５２またはスマートサーモスタット１５４は、通信ユニット１９２、メモリ１９３、Ｉ／Ｏモジュール１９４、およびプロセッサ１９１と同様の通信ユニット、メモリ、Ｉ／Ｏモジュール、およびプロセッサを備え得る。
【００１８】
ＨＶＡＣシステム１６４は、エンティティ１１０を暖め、換気し、空調するための構成要素を備え得る。負荷１５６は、エネルギー消費デバイスまたはアクティビティを表し得る。たとえば、負荷１５６はプールポンプを表し得る。エネルギー源１５８は、エネルギーを吸収するか、または生じるためのデバイスを備え得る。たとえば、エネルギー源１５８は、太陽からのエネルギーを吸収するためのソーラーパネルであり得る。マイクロＣＨＰシステム１６０は、エンティティ１１０に電気エネルギーおよび熱を与える生成器を駆動する燃料電池または熱エンジンであり得る。エネルギー蓄積器１６２は、たとえば、エネルギー源１５８によって吸収されたエネルギーから、またはグリッド１６８から得られたエネルギーから充電され、負荷１５６にエネルギーを供給するために放電され得る、バッテリーを備え得る。いくつかの実施形態では、ＨＶＡＣシステム１６４、マイクロＣＨＰシステム１６０、エネルギー源１５８、エネルギー蓄積器１６２、およびスマートメーター１６７はまた、負荷の形態を表し得る。
【００１９】
負荷センター１６６は、あるデバイスから別のデバイスへのエネルギーの伝達を可能にし得る。たとえば、負荷センター１６６は、グリッド１６８からＨＶＡＣシステム１６４、負荷１５６、エネルギー源１５８、マイクロＣＨＰシステム１６０、およびエネルギー蓄積器１６２へのエネルギーの伝達および分配を可能にする回路を備え得る。いくつかの実施形態では、グリッド１６８から様々なデバイスへのエネルギーの分配は、負荷センター１６６と通信しているスマートエネルギーコントローラ１５２によって制御され得る。さらなる例として、負荷センター１６６は、エネルギー蓄積器１６２からグリッド１６８へのエネルギーの伝達を可能にする回路を備え得る。インバータ１６５は、エネルギー源１５８、マイクロＣＨＰシステム１６０、またはエネルギー蓄積器１６２に関連するＤＣ信号をＡＣ信号に変換するための回路を備え得る。いくつかの実施形態では、インバータ１６５は、デバイスに関連するＡＣ信号をＤＣ信号に変換するための回路を備える変換器と置き換えられ得る。スマートメーター１６７は、グリッド１６８によって負荷センター１６６に供給されるか、または負荷センター１６６によってグリッド１６８に供給されるエネルギーの量を決定するための回路を備え得る。グリッド１６８は、エンティティ１１０の外側に位置するエネルギー源を備え得る。
【００２０】
例示的な動作モードでは、システム１５０および／またはスマートエネルギーコントローラ１５２は、スマートサーモスタット１５４、負荷１５６、エネルギー源１５８、マイクロＣＨＰシステム１６０、エネルギー蓄積器１６２、負荷センター１６６、またはスマートメーター１６７に関連する制御デバイスにコマンドを送信し得る。コマンドは、スマートサーモスタット１５４、負荷１５６、エネルギー源１５８、マイクロＣＨＰシステム１６０、エネルギー蓄積器１６２、負荷センター１６６、またはスマートメーター１６７の動作モードをアクティブにするか、非アクティブにするか、または変更するためのコマンドであり得る。たとえば、スマートサーモスタット１５４の動作モードを変更することは、ＨＶＡＣシステム１６４の動作モードを冷房モードから暖房モードに変更することを備え得る。さらなる例として、エネルギー源１５８をアクティブまたは非アクティブにすることは、太陽からのエネルギーを吸収するために、エネルギー源１５８のための機構をアクティブまたは非アクティブにすることを備え得る。さらなる例として、エネルギー蓄積器１６２をアクティブまたは非アクティブにすることは、エネルギー蓄積器１６２を充電または放電することを備え得る。またさらなる例として、負荷センター１６６の動作モードを変更することは、負荷センター１６６に接続された様々なデバイスへのエネルギーの分配を変更することを備え得る。
【００２１】
図２は、エンティティ（たとえば、エンティティ１１０）に関連する負荷（たとえば、負荷１５６）およびエネルギー源（たとえば、エネルギー源１５８）を制御するための方法を提示する。本開示で使用される期間という用語は、瞬間をも指すことがある。いくつかの実施形態では、本方法の様々なブロックは、エネルギー管理システム１５０などのエネルギー管理システムによって実施され得る。ブロック２１０において、本方法は、負荷についての第１のエネルギー消費レベルを監視するための第１の制御デバイス（たとえば、制御デバイス１５５）への第１の接続を（たとえば、エネルギー管理システムと通信しているスマートエネルギーコントローラ１５２から）確立することを備える。ブロック２２０において、本方法は、エネルギー源についての第１のエネルギー生成レベルを監視するための第２の制御デバイス（たとえば、制御デバイス１５７）への第２の接続を（たとえば、スマートエネルギーコントローラから）確立することをさらに備える。
【００２２】
ブロック２２５において、本方法は、負荷についての第１のエネルギー消費レベルを第１の制御デバイスから（たとえば、エネルギー管理システムにおいて）受信することをさらに備える。ブロック２２６において、本方法は、エネルギー源についての第１のエネルギー生成レベルを第２の制御デバイスから（たとえば、エネルギー管理システムにおいて）受信することをさらに備える。ブロック２３０において、本方法は、第１の期間について、負荷についての第１のエネルギー消費レベルとエネルギー源についての第１のエネルギー生成レベルとに少なくとも部分的に基づいて、エンティティに関連する第１のエネルギーレベルを決定することをさらに備える。第１の期間は、（たとえば、現在時間の前の）過去の期間であり得る。ブロック２１０〜２３０は、１つまたは複数の負荷についてのエネルギー消費レベルと１つまたは複数のエネルギー源についてのエネルギー生成レベルとが単一のエンティティについてのエネルギーレベルを決定するために使用され得るので、「多対１」変換を表す。
【００２３】
ブロック２４０において、本方法は、第２の期間について、エンティティに関連するコンテキストデータを決定することをさらに備える。第２の期間は、（たとえば、現在時間の後の）将来の期間であり得る。コンテキストデータは、エンティティに関連するデータまたはエンティティに関連する地理的エリアを備え得る。たとえば、コンテキストデータは、エンティティに関連する地理的エリアの天気予報、エネルギー源にとって利用可能な日照期間、エネルギー源に関連する曇り期間、季節、特定の時間（たとえば、時刻、曜日または年のうちのある日など）、エンティティの占有率、エンティティの占有者に関連する習慣またはアクティビティ、エンティティに関連する特徴（たとえば、エンティティのサイズ、エンティティ中の部屋の数、エンティティに関連するエネルギー関係アクティビティ（たとえば、エネルギー消費アクティビティ、エネルギー生成アクティビティ、エネルギー蓄積アクティビティなど）のコスト、タイプ、および頻度）、エンティティに関連するエネルギー源、負荷、および蓄積器の数およびタイプなど）を備え得る。エネルギー消費のコストは、いくつかの実施形態では、グリッド（たとえば、グリッド１６８）またはエンティティにエネルギーを与えるエネルギープロバイダに関連し得る。いくつかの実施形態では、ブロック２４０におけるコンテキストデータは、コンテキストデータの過去の（たとえば、第１の期間中の）傾向に基づいて決定され得る。いくつかの実施形態では、コンテキストデータの発生は確率に関連し得る。たとえば、天気予報を考慮するとき、あるエリアにおける降水確率は、特定の期間について５０％であり得る。いくつかの実施形態では、本方法はまた、ブロック２３０において、第１の期間について、コンテキストデータを決定することと、次いで、ブロック２３０における第１の期間についての決定されたコンテキストデータに基づいて、ブロック２４０において、第２の期間について、コンテキストデータを決定することとを備え得る。
【００２４】
本方法は、ブロック２３０およびブロック２４０における決定に基づいてエンティティのためのエネルギー管理プログラムを決定することをさらに備え得る。ブロック２５０において、エネルギー管理プログラムを決定することは、第２の期間について、第１のエネルギーレベルとコンテキストデータとに少なくとも部分的に基づいて、エンティティに関連する第２のエネルギーレベルを決定することを備え得る。第２のエネルギーレベルは、負荷についての第２のエネルギー消費レベルとエネルギー源についての第２のエネルギー生成レベルとを備え得る。ブロック２４０におけるコンテキストデータの発生が確率に関連するので、ブロック２５０におけるエンティティについての決定された第２のエネルギーレベルも確率に関連し得る。ブロック２４０およびブロック２５０は、単一のエンティティについての、第１の期間に関連するエネルギーレベルが、単一のエンティティについての、第２の期間に関連するエネルギーレベルを決定するために使用され得るので、「１対１」変換を表す。
【００２５】
エネルギー管理プログラムは、メモリ（たとえば、メモリ１９３）に記憶され、プロセッサ（たとえば、プロセッサ１９１）によって実行され得る。エネルギー管理プログラムは、第２の期間中に、エンティティに関連するもう１つのエネルギー関係アクティビティを制御し得る。エネルギー関係アクティビティは、図１中に提示されるデバイスのいずれかに関連し得る。たとえば、ブロック２６０において、本方法は、第２のエネルギーレベルまたは第２のエネルギー消費レベルに基づいて負荷を制御することをさらに備える。負荷は、負荷に関連する制御デバイス（たとえば、制御デバイス１５５）に制御命令を送信することによって制御され得る。したがって、エネルギー管理プログラムは、負荷の動作をいつアクティブにすべきなのか、またはいつ非アクティブにすべきなのかと、アクティブ化または非アクティブ化のために選択された負荷のタイプとを決定し得る。
【００２６】
追加または代替として、ブロック２６１において、本方法は、第２のエネルギーレベルまたは第２のエネルギー生成レベルに基づいてエネルギー源を制御することをさらに備える。エネルギー源は、エネルギー源に関連する制御デバイス（たとえば、制御デバイス１５７）に制御命令を送信することによって制御され得る。したがって、エネルギー管理プログラムは、エネルギー源をいつアクティブにすべきなのか、およびいつ非アクティブにすべきなのかと、エネルギー源を使用して生成すべきエネルギーの量とを決定し得る。
【００２７】
さらに、いくつかの実施形態では、本方法は、エネルギー蓄積器（たとえば、エネルギー蓄積器１６２）を制御することをさらに備え得る。エネルギー蓄積器は、エネルギー蓄積器に関連する制御デバイス（たとえば、制御デバイス１６１）に制御命令を送信することによって制御され得る。したがって、エネルギー管理プログラムは、エンティティに関連するエネルギー蓄積器をいつ充電すべきなのか、またはいつ放電すべきなのかを決定し得る。エネルギー蓄積器は、エネルギー源またはグリッドを使用して充電され得る。いくつかの実施形態では、エネルギー管理プログラムは、エネルギー蓄積器から過剰エネルギーをエネルギー源またはグリッドに送信し返すべきかどうかをも決定し得る。いくつかの実施形態では、負荷、エネルギー源、およびエネルギー蓄積器を制御することは、ある期間について、負荷、エネルギー源、およびエネルギー蓄積器をアクティブおよび／または非アクティブにすることを備え得る。ブロック２６０およびブロック２６１は、単一のエンティティについてのエネルギーレベルが、単一のエンティティに関連する１つまたは複数の負荷、１つまたは複数のエネルギー源、および／または１つまたは複数のエネルギー蓄積器を制御するために使用され得るので、「１対多」変換を表す。図２の様々なブロックは任意の順序で実行され得、その順序は、本明細書で説明される順序に限定されない。さらに、いくつかのブロックは随意であり得る。
【００２８】
いくつかの実施形態では、本方法の様々な部分において決定された情報は、将来のエネルギー消費および／または生成のためのエネルギーモデルまたは予測を構築するために使用され得る。たとえば、本方法は、エンティティについてのエネルギーモデルを導出するために、第１および第２の期間についてのコンテキストデータを、ブロック２３０における第１のエネルギーレベルおよびブロック２５０における第２のエネルギーレベルと組み合わせることを備え得る。エネルギーモデルは、天気予報と将来のエネルギー生成レベルとの間の関係、前のエネルギー生成または消費レベルと将来のエネルギー生成または消費レベルとの間の関係、時刻／曜日または年のうちのある日と将来のエネルギー生成または消費レベルとの間の関係などを決定するために使用され得る。
【００２９】
前に示されたように、ブロック２５０におけるエンティティについての決定されたエネルギーレベルは、確率に関連し得る。たとえば、第２の期間についての決定されたエネルギーレベル（たとえば、生成レベル、消費レベルなど）は、６０％の確率に関連し得る。いくつかの実施形態では、エネルギー管理プログラムの一部であるエネルギー関係アクティビティは、アクティビティに関連する期待効用を決定することと、アクティビティに関連する期待効用を最大にすることとを備える計算に基づいて選択され得る。期待効用は、ブロック２５０におけるアクティビティに関連する決定されたエネルギーレベルと、その決定されたエネルギーレベルに関連する確率とに基づき得る。
【００３０】
エンティティが家屋である実施形態では、エネルギー管理プログラムは、２つの同様のサイズの家屋について異なり得る。これは、ブロック２４０において決定されたコンテキストデータ（たとえば、占有者の習慣またはアクティビティ、気象条件など）が各家屋について異なり得るためであり得る。別の例として、ブロック２３０おけるエネルギーレベルのための同様の決定と、ブロック２４０におけるコンテキストデータのための同様の決定（たとえば、占有者の習慣またはアクティビティ、気象条件など）とをもつ２つの家屋を考慮する。ただし、家屋のうちの一方についてのコンテキストデータは、他方の家屋と比較してはるかに高い程度の変動性を有する（たとえば、占有者あるいは占有者の習慣またはアクティビティが頻繁に変化する、気象条件が頻繁に変化するなど）。家屋のうちの一方についてのコンテキストデータの変動性が高くなるほど、他方の家屋についてのブロック２４０における決定と比較して、ブロック２４０における決定に関連する確率が低くなる。代替または追加として、家屋のうちの一方についてブロック２３０において決定されたエネルギーレベルは、他方の家屋についてのブロック２３０における決定と比較して、はるかに高い程度の変動性を有する。家屋のうちの一方についてのブロック２３０におけるエネルギーレベルの変動性が高くなるほど、他方の家屋と比較して、ブロック２５０における決定に関連する確率が低くなる。そのような例では、決定されたエネルギー管理プログラムは、本開示で説明される方法がブロック２４０およびブロック２５０における決定に関連する確率を考慮するので、両方の家屋について異なり得る。
【００３１】
図２の方法または図４などの他の方法を実施するように構成された装置またはデバイスは、通信ユニット（たとえば、通信ユニット１９２）と、メモリ（たとえば、メモリ１９３）と、Ｉ／Ｏモジュール（たとえば、Ｉ／Ｏモジュール１９４）と、プロセッサ（たとえば、プロセッサ１９１）とを備え得る。プロセッサは、Ｉ／Ｏモジュール、メモリ、および通信ユニットに結合され得、本開示で説明される様々な方法を実施するように構成され得る。代替的に、装置またはデバイスは、本開示で説明される様々な方法を実施するために任意の好適な手段を備え得る。いくつかの実施形態では、非一時的コンピュータ可読媒体が提供される。非一時的コンピュータ可読媒体は、装置またはデバイスの１つまたは複数のプロセッサによって実行されたとき、装置またはデバイスに、本開示で説明される様々な方法を実施させるコードを備え得る。
【００３２】
したがって、本開示は、負荷に関連する過去のエネルギー消費レベルおよび／またはエネルギー源に関連する過去のエネルギー生成レベルを、エンティティに関連する過去のエネルギーレベルに変換することを対象とし得る。エンティティに関連する過去のエネルギーレベルは、エンティティに関連する将来のエネルギーレベルを決定するために、将来に関するコンテキストデータとともに考慮され得る。エンティティに関連する将来のエネルギーレベルは、現在の時間中に、または将来においてのいずれかで、負荷、エネルギー源、またはエネルギー蓄積器を制御するために使用され得る。
【００３３】
代替実施形態では、負荷に関連する過去のエネルギー消費レベルは、負荷に関連する将来のエネルギー消費レベルを決定するために、将来に関するコンテキストデータとともに考慮され得る。負荷に関連する将来のエネルギー消費レベルは、現在の時間中に、または将来においてのいずれかで、負荷を制御するために使用され得る。同様に、エネルギー源に関連する過去のエネルギー生成レベルは、エネルギー源に関連する将来のエネルギー生成レベルを生じるために、将来に関するコンテキストデータとともに考慮され得る。エネルギー源に関連する将来のエネルギー生成レベルは、現在の時間中に、または将来においてのいずれかで、エネルギー源を制御するために使用され得る。最終的に、エネルギー蓄積器に関連する過去のエネルギー蓄積レベルは、エネルギー蓄積器に関連する将来のエネルギー蓄積レベルを生じるために、将来に関するコンテキストデータとともに考慮され得る。エネルギー蓄積器に関連する将来のエネルギー蓄積レベルは、現在の時間中に、または将来においてのいずれかで、エネルギー蓄積器を制御するために使用され得る。
【００３４】
図３は、エンティティ（たとえば、エンティティ１１０）のためのエネルギー管理に関連するチャートを提示する。チャート３１０は、ソーラーエネルギー生成対時間を示す。ソーラーエネルギーは、エンティティ１１０に関連する１つまたは複数のエネルギー源（たとえば、エネルギー源１５８）を使用して生成され得る。チャート３２０はバッテリーレベル対時間を示す。バッテリーレベルは、生成されたソーラーエネルギーを蓄積するエネルギー蓄積器（たとえば、エネルギー蓄積器１６２）に関連し得る。エネルギー蓄積器は、限られた量のエネルギーを蓄積し得、エンティティに関連する様々なエネルギー関係アクティビティに電力供給するために使用され得る。チャート３３０に示されているように、エネルギー蓄積器の限られた容量によりエネルギー蓄積器に蓄積され得ない過剰ソーラーエネルギーは、エンティティに代替エネルギー源を与えるグリッド（たとえば、グリッド１６８）に送信され得る。エネルギー蓄積器（チャート３２０）およびグリッド（チャート３４０）からのエネルギーは、エンティティに関連する負荷（たとえば、負荷１５６）にエネルギーを与えるために、組合せで使用され得る。特定の負荷の場合、エネルギー蓄積器から使用されるエネルギーの量の増加は、グリッドから使用されるエネルギーの量の減少を引き起こし得、その逆も同様である。いくつかの実施形態では、いくつかのタイプの負荷は、エネルギー蓄積器からのエネルギーを必要とし、グリッドからのエネルギーを必要としないことがあり、その逆も同様である。チャート３５０に示されているように、グリッドからエネルギーを導出することのコストは、時間に応じて変動し得る。（たとえば、グリッドからエネルギーを導出することのコストに基づいて）エンティティのためのより良いエネルギー決定を行うために、様々なエネルギー関係アクティビティのスケジューリングを最適化する必要がある。
【００３５】
図４は、エンティティ（たとえば、エンティティ１１０）に関連する負荷（たとえば、負荷１５６）およびエネルギー蓄積器（たとえば、エネルギー蓄積器１６２）を動作させるためのスケジュールの中から選択するための方法を提示する。いくつかの実施形態では、本方法の様々なブロックは、エネルギー管理システム（たとえば、エネルギー管理システム１５０）によって実施され得る。ブロック４１０において、本方法は、将来の期間について、負荷についてのエネルギー消費レベルを予測することを備える。いくつかの実施形態では、エネルギー消費レベルは、制御デバイス（たとえば、制御デバイス１５５）または本開示で説明される制御デバイスの組合せによって決定された、負荷についての過去または現在のエネルギー消費レベルに基づいて予測され得る。さらに、いくつかの実施形態では、エネルギー消費レベルは、本開示で説明されるコンテキストデータに基づいて予測され得る。
【００３６】
ブロック４２０において、本方法は、将来の期間について、エネルギー源（たとえば、エネルギー源１５８）についてのエネルギー生成レベルを予測することをさらに備える。いくつかの実施形態では、エネルギー生成レベルは、制御デバイス（たとえば、制御デバイス１５７）または本開示で説明される制御デバイスの組合せによって決定された、エネルギー源についての過去または現在のエネルギー生成レベルに基づいて予測され得る。さらに、いくつかの実施形態では、エネルギー生成レベルは、本開示で説明されるコンテキストデータに基づいて予測され得る。
【００３７】
ブロック４３０において、本方法は、負荷を動作させ、および／あるいはエネルギー蓄積器を充電または放電するための第１のスケジュールを生成することをさらに備える。ブロック４４０において、本方法は、負荷を動作させ、および／あるいはエネルギー蓄積器を充電または放電するための第２のスケジュールを生成することをさらに備える。スケジュールは、負荷をアクティブまたは非アクティブにし、および／あるいはエネルギー蓄積器を充電または放電するための開始時間および／または終了時間を決定し得る。第１のスケジュールに関連する、負荷をアクティブまたは非アクティブにし、および／あるいはエネルギー蓄積器を充電または放電するための開始時間および／または終了時間は、第２のスケジュールに関連するものとは異なり得る。さらに、第１のスケジュール中に動作している負荷（たとえば、プールポンプ、ＨＶＡＣシステムなど）のタイプは、第２のスケジュール中に動作している負荷のタイプとは異なり得る。
【００３８】
ブロック４３１において、本方法は、第１のスケジュールのためのコストを決定することをさらに備える。コストは、負荷、エネルギー蓄積器、エネルギー源、またはグリッド（たとえば、グリッド１６８）に関連するエネルギー動作（たとえば、エネルギー伝達またはエネルギー使用動作）を実施することに関連し得る。例示的なエネルギー伝達動作は、グリッドから負荷へのエネルギーの伝達であり得る。例示的なエネルギー使用動作は、負荷のアクティブ化であり得る。ブロック４４１において、本方法は、第２のスケジュールのためのコストを決定することをさらに備える。
【００３９】
ブロック４５０において、本方法は、第１のスケジュールのためのコストが第２のスケジュールのためのコストよりも小さいかどうかを決定することをさらに備える。第１のスケジュールのためのコストが第２のスケジュールのためのコストよりも小さい場合、本方法は、ブロック４５６において、第１のスケジュールを選択することをさらに備える。第１のスケジュールのためのコストが第２のスケジュールのためのコスト以上である場合、本方法は、ブロック４５７において、第２のスケジュールを選択することをさらに備える。図４の様々なブロックは任意の順序で実行され得、その順序は、本明細書で説明される順序に限定されない。さらに、いくつかのブロックは随意であり得る。図４中の例示的な方法は２つのスケジュール間で選択するためのプロセスについて説明するが、本方法は、任意の数のスケジュール間で選択するために拡張され得る。
【００４０】
開示される原理による様々な実装形態が上記で説明されたが、それらは、単に例として提示され、限定的なものではないことを理解されたい。したがって、実装形態の幅および範囲は、上記で説明された例示的な実装形態のいずれかによって限定されるべきでなく、本開示から生じる請求項およびそれらの等価物に従ってのみ定義されるべきである。さらに、上記の利点および特徴は、説明される実装形態において提供されるが、そのような生じた請求項の適用を、上記の利点のいずれかまたはすべてを達成するプロセスおよび構造に限定しないものとする。
【００４１】
本開示で使用される様々な用語は、本技術分野内で特殊な意味を有する。特定の用語がそのような「技術用語」として解釈されるべきであるかどうかは、その用語が使用されるコンテキストに依存する。「に接続される」、「と通信している」、「に通信可能にリンクされる」、「の通信可能な範囲中」、または他の同様の用語は、概して、通信および接続が、参照される要素間で直接的である場合、あるいはインターネットまたは何らかの他の通信ネットワークを通るものを含む、参照される要素間の１つまたは複数の媒介を通るものである場合の両方の状況を含むように広く解釈されるべきである。「ネットワーク」、「システム」、「環境」、および他の同様の用語は、概して、本開示の１つまたは複数の態様を実施するネットワーク化されたコンピューティングシステムを指す。これらおよび他の用語は、それらが本開示で使用されるコンテキストに照らして解釈されるべきであり、およびそれらの用語が当業者によって理解されるように、開示されるコンテキストにおいてそれらの用語を理解するであろう。上記の定義は、開示されるコンテキストに基づいてそれらの用語に付与され得る他の意味を除かない。
【００４２】
「そのときに」、「等価な」、「中に」、「完了した」など、比較、測定、およびタイミングの単語は、「実質的にそのときに」、「実質的に等価な」、「実質的に中に」、「実質的に完了した」などを意味し、ここで、「実質的に」は、そのような比較、測定、およびタイミングが、暗黙的にまたは明確に述べられた所望の結果を達成するために実行可能であることを意味することを理解されたい。
【００４３】
さらに、本開示における見出しは、米国特許法施行規則第１．７７条に基づく示唆との一貫性のために、または場合によっては編成上の目印（organizational cue）を与えるために与えられる。これらの見出しは、本開示から生じ得る請求項において提示される実装形態を限定するものでも、または特徴づけるものでもない具体的に、および例として、見出しが「技術分野」を指しているにもかかわらず、そのような請求項は、いわゆる技術分野を表すためのこの見出しの下で選定された言語によって限定されるべきでない。さらに、「背景技術」における技術の説明は、技術が本開示における任意の実装形態に対する従来技術であるという承認として解釈されるべきでない。「発明の概要」も、生じた請求項において記載される実装形態の特徴づけと見なされない。さらに、単数形での「実装形態」に対する本開示における参照は、本開示において一点の新規性しかないと主張するために使用されるべきでない。複数の実装形態が、本開示から生じる複数の請求項の限定に従って記載され得、そのような請求項は、したがって、実装形態およびそれにより保護されるそれらの等価物を定義する。すべての事例において、そのような請求項の範囲は、本開示に照らしてそれら自体の価値に基づいて考慮されるものとするが、本開示における見出しによって制約されるべきでない。
【図１】
2018528747.tif 000003
【図２】
2018528747.tif 000004
【図３】
2018528747.tif 000005
【図４】
2018528747.tif 000006
【国際調査報告】
2018528747.tif 000007
2018528747.tif 000008
2018528747.tif 000009